(57)【要約】【課題】複数ＰＤＮコネクションを切断する際にパケット交換局装置とサービングゲートウェイ装置との間で送受信される信号量を減らし、パケット交換局装置及びサービングゲートウェイ装置の処理負荷を軽減すること。【解決手段】第１通信方式の移動通信システムにおいて対象移動機ＵＥが在圏していたエリアのＳ-ＧＷ１５に対して、第２通信方式の移動通信システムにおいて前記対象移動機ＵＥが在圏するエリアのＳＧＳＮ２２から、Ｓ-ＧＷ１５を起点にして対象移動局ＵＥに対して設定しているＰＤＮコネクションの切断を要求するＰＤＮコネクション切断方法であり、加入者識別子Ｆ９と引継ぎ対象のＰＤＮコネクション情報Ｆ８を設定可能な構造を有する切断信号をＳ-ＧＷ１５へ送信し、切断信号を受信したＳ-ＧＷ１５が切断信号に設定された加入者識別子Ｆ９及び引継ぎ対象のＰＤＮコネクション情報Ｆ８から切断対象のＰＤＮコネクションを検索して切断する。【選択図】図３
2012004912.tif 000002
【特許請求の範囲】
【請求項１】
第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの切断を要求するＰＤＮコネクション切断方法であり、
前記対象移動局に対応した加入者識別子と引継ぎ対象のＰＤＮコネクション情報を設定可能な構造を有する切断信号を前記パケット交換局から前記サービングゲートウェイ装置へ送信する工程と、
前記切断信号を受信した前記サービングゲートウェイ装置が前記切断信号に設定された前記加入者識別子及び引継ぎ対象のＰＤＮコネクション情報から切断対象のＰＤＮコネクションを検索して切断する工程と、
を具備したことを特徴とするＰＤＮコネクション切断方法。
【請求項２】
前記サービングゲートウェイ装置が検索した全ての切断対象ＰＤＮコネクションの切断成功の有無を示す情報が含まれた切断応答信号を、前記サービングゲートウェイ装置から前記パケット交換局へ送信する工程を、具備したことを特徴とする請求項１記載のＰＤＮコネクション切断方法。
【請求項３】
前記切断信号は、切断対象ＰＤＮコネクション情報を１つだけ設定可能な既存情報要素と、前記加入者識別子および前記引継ぎ対象ＰＤＮコネクション情報の識別子リストを設定可能な拡張情報要素とを有する構造であることを特徴とする請求項１又は請求項２記載のＰＤＮコネクション切断方法。
【請求項４】
前記パケット交換局が前記切断信号を用いてＰＤＮコネクションの切断を要求した後、前記サービングゲートウェイ装置から受信した切断応答信号に、全ての切断対象ＰＤＮコネクションの切断成功の有無の明示がない場合、切断対象のＰＤＮコネクションを既存情報要素に１つだけ設定した切断信号を、切断対象のＰＤＮコネクション数だけ繰り返し送信することを特徴とする請求項３記載のＰＤＮコネクション切断方法。
【請求項５】
前記前記パケット交換局から前記切断信号を受信した前記サービングゲートウェイ装置が、外部ネットワーク接続ゲートウェイ装置毎に前記切断信号を転送することを特徴とする請求項１から請求項４のいずれかに記載のＰＤＮコネクション切断方法。
【請求項６】
第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの切断を要求するＰＤＮコネクション切断方法であり、
前記パケット交換局から切断要求を受けたサービングゲートウェイ装置が、前記対象移動局に対応した加入者識別子と引継ぎ対象のＰＤＮコネクション情報を設定可能な構造を有する切断信号を外部ネットワーク接続ゲートウェイ装置へ送信する工程と、
前記切断信号を受信した前記外部ネットワーク接続ゲートウェイ装置が前記切断信号に設定された前記加入者識別子及び引継ぎ対象のＰＤＮコネクション情報から切断対象のＰＤＮコネクションを検索して切断する工程と、
と具備したことを特徴とするＰＤＮコネクション切断方法。
【請求項７】
第１通信方式の移動通信システムにおいてサービングゲートウェイ装置を起点にして対象移動局に対して設定しているＰＤＮコネクションを第２通信方式の移動通信システム側で引き継ぐパケット交換局であり、
前記サービングゲートウェイ装置を起点にして設定している複数ＰＤＮコネクションのうち所定数のＰＤＮコネクションを引継ぎ対象にする引き継ぎ処理手段と、
前記対象移動局に対応した加入者識別子と引継ぎ対象のＰＤＮコネクション情報を設定可能な構造を有する切断信号を前記サービングゲートウェイ装置へ送信する切断要求手段と、
前記サービングゲートウェイ装置から当該サービングゲートウェイ装置が検索した全ての切断対象ＰＤＮコネクションの切断成功の有無を示す情報が含まれた切断応答信号を受信する受信手段と、
を具備することを特徴とするパケット交換局。
【請求項８】
第１通信方式の移動通信システムにおいて対象移動局に対して設定しているＰＤＮコネクションの起点となるサービングゲートウェイ装置であり、
前記ＰＤＮコネクションを第２通信方式の移動通信システム側で引き継ぐパケット交換局から送信される加入者識別子と引継ぎ対象のＰＤＮコネクション情報を設定可能な構造を有する切断信号を受信する受信手段と、
前記受信手段で受信された前記切断信号に設定された前記加入者識別子及び引継ぎ対象のＰＤＮコネクション情報から切断対象のＰＤＮコネクションを検索する検索手段と、
前記検索手段で検索された切断対象ＰＤＮコネクションの切断処理を実行する切断処理手段と、
検索した全ての切断対象ＰＤＮコネクションの切断成功の有無を示す情報が含まれた切断応答信号を前記パケット交換局へ送信する切断応答手段と、
を具備したことを特徴とするサービングゲートウェイ装置。
【発明の詳細な説明】
【技術分野】
【０００１】
本発明は、移動通信ネットワークにおけるパケット交換局、サービングゲートウェイ装置及びＰＤＮ（Ｐａｃｋｅｔ  Ｄａｔａ  Ｎｅｔｗｏｒｋ）コネクションの切断方法に関する。
【背景技術】
【０００２】
現在、通信方式の異なる複数の移動通信ネットワークが互いのサービスエリアを重複してサービス提供し、端末（ＵＥ：Ｕｓｅｒ  Ｅｑｕｉｐｍｅｎｔ）が通信方式を適宜切り替えて双方の移動通信ネットワークからサービス提供を受ける通信システムが検討されている。たとえば、既存通信方式であるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の移動通信ネットワークと次世代通信方式であるＬＴＥ（Ｌｏｎｇ  Ｔｅｒｍ  Ｅｖｏｌｕｔｉｏｎ）方式の移動通信ネットワークとのコアネットワークを融合し、ＵＭＴＳ方式のみ対応のＵＥに対してもコアネットワーク経由でサービス提供を可能にする。また、ＬＴＥ方式（及び既存方式）対応のＵＥに対してＵＭＴＳ方式とＬＴＥ方式のどちらのネットワークにも接続できるようにして、ＬＴＥ方式の移動通信ネットワークが未整備のエリアを、ＵＭＴＳ方式のサービスエリアで補完することもできる。
【０００３】
ＵＥがＰＤＮからサービスを受ける場合、ＬＴＥ方式であればｅＮｏｄｅＢ（基地局）とＰ-ＧＷ（外部ネットワーク接続ゲートウェイ装置）との間にＰＤＮコネクションを設定する。ＰＤＮコネクションは提供サービス毎に設定されるので、ＰＤＮ（例えば、外部ネットワーク）から複数のサービス提供を受けていれば同時に複数のＰＤＮコネクションが設定される。現状の３ＧＰＰ仕様ではＬＴＥ方式は最大許容数ＰＤＮコネクション数が７である。一方、ＵＭＴＳ方式の無線アクセスネットワークに接続しているＵＥがＰＤＮからサービス提供を受ける場合、ＲＮＣ（制御局装置）とＳＧＳＮ（パケット交換局装置）との間にＰＤＮコネクションが設定され、さらにＳＧＳＮからＳ-ＧＷを経由してＰ-ＧＷとの間にＰＤＮコネクションが設定される。３ＧＰＰ仕様ではＵＭＴＳ方式は最大許容数ＰＤＮコネクション数が２である。
【０００４】
上記した通り、ＬＴＥ方式とＵＭＴＳ方式とで最大許容数ＰＤＮコネクション数が異なる。このため、ＬＴＥ方式からＵＭＴＳ方式へのＩｎｔｅｒ  ＲＡＴ  ＨＯ(Ｉｎｔｅｒ  ＲＡＴ  Ｈａｎｄｏｖｅｒ）やＲＡＵ（Ｒｏｕｔｉｎｇ  Ａｒｅａ  Ｕｐｄａｔｅ)において、接続を継続できないＰＤＮコネクションは切断する必要がある。
【０００５】
図７は、複数ＰＤＮコネクションを切断する際の手順を示す概念図である。
ＵＥがＥ−ＵＴＲＡＮからＵＴＲＡＮへＩｎｔｅｒ  ＲＡＴ  ＨＯする際のＰＤＮコネクション切断手順を例示している。対象移動機ＵＥがＵ-ＵＴＲＡＮのｅＮｏｄｅＢに接続しており、ＰＤＮから複数のサービス提供を受けている。同図では、対象移動機ＵＥが４つのＰＤＮコネクションにてＰＤＮに接続していて、４種類のサービス提供を受けている。図８に１つのＰＤＮコネクションの概念図を示す。ＰＤＮ接続時において、最初にデフォルトベアラ（Ｄｅｆａｕｌｔ  Ｂｅａｒｅｒ）が設定される。デフォルトベアラは、ＰＤＮ接続中は常に設定されていて、常時接続機能を提供する。デフォルトベアラが切断されると、ＰＤＮコネクションが切断される。デフォルトベアラ設定後の任意のタイミングで、ＱｏＳ制御を必要とするアプリケーション等により、必要に応じてデディケイテッドベアラ（Ｄｅｄｉｃａｔｅｄ  Ｂｅａｒｅｒ）が設定される。ＰＤＮコネクションは、デフォルトベアラと、当該デフォルトベアラに対してＱｏＳ単位で追加的に設定されるデディケイテッドベアラとで構成されているということができる。
【０００６】
図７に示すように、対象移動機ＵＥがＥ−ＵＴＲＡＮからＵＴＲＡＮへ移動してＩｎｔｅｒ  ＲＡＴ  ＨＯが発生した場合、対象移動機ＵＥが接続しているｅＮｏｄｅＢでハンドオーバープロセスが起動される。ハンドオーバープロセスが起動されたｅＮｏｄｅＢは、接続しているＭＭＥ（移動制御装置）に対して対象移動機ＵＥが接続中の全ＰＤＮコネクション情報（ＰＤＮコネクション接続中に維持されるデフォルトベアラのＩＤ）やTarget ＲＮＣ番号を含むハンドオーバーリクエストを送出する。ＭＭＥはTarget ＲＮＣ情報からその上位となるＳＧＳＮを導出し、受信した全ＰＤＮコネクション情報をTarget ＳＧＳＮへ送出する。Target ＳＧＳＮは受信した全ＰＤＮコネクションの中から引継ぎ対象とするベアラを選出し、Target ＲＮＣに無線区間のセットアップ要求を送出する。同図には、Target ＳＧＳＮが全部で４つのＰＤＮコネクション情報を受信し、その中から１つのＰＤＮコネクションだけを引継ぎ対象とした例が示されている。Target ＳＧＳＮは引継ぎ対象としなかった３つのＰＤＮコネクションを切断する。そのため、３つのＰＤＮコネクションの切断要求をSource Ｓ-ＧＷに対して送出する。３ＧＰＰ仕様（ＴＳ２９．２７４）では、ＰＤＮコネクションの切断にはＧＴＰｖ２信号を用いるよう規定されているが、ＧＴＰｖ２信号にはＰＤＮコネクションを複数設定できない。そのため、図７に示すように、複数ＰＤＮコネクションを切断する場合、Source Ｓ-ＧＷに対して切断信号を３回繰り返し送信する。Source Ｓ-ＧＷは、切断信号を受けたＰＤＮコネクションを切断する。
【先行技術文献】
【非特許文献】
【０００７】
【非特許文献１】３ＧＰＰ  ＴＳ２９．２７４  ７．２．９．１  “Delete Session Request”
【発明の概要】
【発明が解決しようとする課題】
【０００８】
しかしながら、複数ＰＤＮコネクションを切断する場合、Target ＳＧＳＮからSource Ｓ-ＧＷに対して切断対象の個々のＰＤＮコネクションに対応して切断信号を繰り返し送信する必要があるので、切断ＰＤＮコネクション数の増加に応じて信号量が増えることによる処理能力上の課題がある。
【０００９】
本発明は、かかる点に鑑みてなされたものであり、複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できるパケット交換局、サービングゲートウェイ装置及びＰＤＮコネクション切断方法を提供することを目的とする。
【課題を解決するための手段】
【００１０】
本発明のＰＤＮコネクション切断方法は、第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの切断を要求するＰＤＮコネクション切断方法であり、前記対象移動局に対応した加入者識別子と引継ぎ対象のＰＤＮコネクション情報を設定可能な構造を有する切断信号を前記パケット交換局から前記サービングゲートウェイ装置へ送信する工程と、前記切断信号を受信した前記サービングゲートウェイ装置が前記切断信号に設定された前記加入者識別子及び引継ぎ対象のＰＤＮコネクション情報から切断対象のＰＤＮコネクションを検索して切断する工程と、を具備したことを特徴とする。
【００１１】
この構成によれば、加入者識別子と引継ぎ対象のＰＤＮコネクション情報を設定した単一の切断信号をサービングゲートウェイ装置へ送信することで、サービングゲートウェイ装置で１つ又は複数の切断対象ＰＤＮコネクションを検索して切断でき、従来方式のように全ての切断対象ＰＤＮコネクションの数だけ切断要求を繰り返し送信するのに比べて、信号量を削減でき、パケット交換局及びサービングゲートウェイ装置の処理負荷を軽減できる。
【００１２】
本発明のＰＤＮコネクション切断方法は、前記サービングゲートウェイ装置が検索した全ての切断対象ＰＤＮコネクションの切断成功の有無を示す情報が含まれた切断応答信号を、前記サービングゲートウェイ装置から前記パケット交換局へ送信する工程を、具備したことを特徴とする。
【００１３】
この構成によれば、サービングゲートウェイ装置が検索した全ての切断対象ＰＤＮコネクションの切断成功の有無を示す情報が含まれた切断応答信号が切断応答として送られるので、全ての切断対象ＰＤＮコネクションの切断に成功していれば１回の切断応答で済むので信号量を削減でき、切断対象ＰＤＮコネクションの一部は切断に失敗していても、パケット交換局は前回送信と同じ切断信号を再送すればよく処理負荷が軽減される。
【００１４】
上記ＰＤＮコネクション切断方法において、前記切断信号は、切断対象ＰＤＮコネクション情報を１つだけ設定可能な既存情報要素と、前記加入者識別子および前記引継ぎ対象ＰＤＮコネクション情報の識別子リストを設定可能な拡張情報要素とを有する構造にしても良い。
【００１５】
本発明は、上記ＰＤＮコネクション切断方法において、前記パケット交換局が前記切断信号を用いてＰＤＮコネクションの切断を要求した後、前記サービングゲートウェイ装置から受信した切断応答信号に、全ての切断対象ＰＤＮコネクションの切断成功の有無の明示がない場合、切断対象のＰＤＮコネクションを既存情報要素に１つだけ設定した切断信号を、切断対象のＰＤＮコネクション数だけ繰り返し送信することを特徴とする。
【００１６】
この構成によれば、サービングゲートウェイ装置が加入者識別子および引継ぎ対象ＰＤＮコネクション情報を用いて切断対象ＰＤＮコネクションを検索する検索機能をサポートしていない場合、自動的に従来方式に動作を切り替えることができ、切断信号の拡張情報要素を認識できないにサービングゲートウェイ装置がエラーを繰り返す問題を回避でき、後方互換性を確保できる。
【００１７】
本発明は、上記ＰＤＮコネクション切断方法において、前記前記パケット交換局から前記切断信号を受信した前記サービングゲートウェイ装置が、外部ネットワーク接続ゲートウェイ装置毎に前記切断信号を転送することを特徴とする。
【００１８】
この構成によれば、外部ネットワーク接続ゲートウェイ装置に加入者識別子および引継ぎ対象ＰＤＮコネクション情報を含んだ切断信号を送信するので、外部ネットワーク接続ゲートウェイ装置で切断対象ＰＤＮコネクションを検索して切断でき、サービングゲートウェイ装置との間の信号量を削減でき、外部ネットワーク接続ゲートウェイ装置とサービングゲートウェイ装置の処理負荷を軽減できる。
【００１９】
本発明のＰＤＮコネクション切断方法は、第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの切断を要求するＰＤＮコネクション切断方法であり、前記パケット交換局から切断要求を受けたサービングゲートウェイ装置が、前記対象移動局に対応した加入者識別子と引継ぎ対象のＰＤＮコネクション情報を設定可能な構造を有する切断信号を外部ネットワーク接続ゲートウェイ装置へ送信する工程と、前記切断信号を受信した前記外部ネットワーク接続ゲートウェイ装置が前記切断信号に設定された前記加入者識別子及び引継ぎ対象のＰＤＮコネクション情報から切断対象のＰＤＮコネクションを検索して切断する工程と、と具備したことを特徴とする。
【００２０】
この構成によれば、サービングゲートウェイ装置と外部ネットワーク接続ゲートウェイ装置との間に設定されている複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できる。
【発明の効果】
【００２１】
本発明によれば、複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できる。
【図面の簡単な説明】
【００２２】
【図１】本発明の一実施形態に係る移動通信システムの概略を説明するための図である。
【図２】本発明の一実施形態におけるＳ-ＧＷおよびＳＧＳＮの機能ブロック図である。
【図３】本発明の一実施形態におけるＰＤＮコネクションの切断処理のシーケンス図である。
【図４】ＧＴＰｖ２信号を拡張した切断信号の信号フォーマットを示す図である。
【図５】ＧＴＰｖ２信号を拡張した切断応答信号の信号フォーマットを示す図である。
【図６】本発明の一実施形態におけるＳ-ＧＷの動作を示すフローチャートである。
【図７】複数ＰＤＮコネクションを切断する際の手順を示す概念図である。
【図８】ＰＤＮコネクションとベアラとの関係を示す概念図である。
【発明を実施するための形態】
【００２３】
以下、本発明の実施の形態について説明する。
図１は本実施の形態に係る通信システムの概略的なシステム構成図であり、通信方式の異なる第１通信システム及び第２通信システムが示されている。第１通信システムは、ＬＴＥ方式の移動通信ネットワークであり、無線アクセスネットワークはＥ−ＵＴＲＡＮ（Ｅｖｏｌｖｅｄ−ＵＴＲＡＮ）１１で構成されている。また、第２通信システムは、ＵＭＴＳ方式の移動通信ネットワークであり、無線アクセスネットワークはＵＴＲＡＮ２０で構成されている。移動機ＵＥは第１通信システムと第２通信システムの双方に対応可能な端末であり、携帯電話機、パソコン、その他の情報機器である。
【００２４】
コアネットワークは、主にＥＰＣ（Ｅｖｏｌｖｅｄ  Ｐａｃｋｅｔ  Ｃｏｒｅ）で構成されているが、ＵＭＴＳ／ＧＰＲＳ（Ｇｅｎｅｒａｌ  Ｐａｃｋｅｔ  Ｒａｄｉｏ  Ｓｅｒｖｉｃｅ）の機能エンティティ（ＳＧＳＮ）と一部で連携している。
【００２５】
ＭＭＥ（移動制御装置）１４は、移動機ＵＥの位置を位置登録エリア単位で補足し、移動機ＵＥの呼び出し制御を実施する機能エンティティである。ＭＭＥ（移動制御装置）１４が移動機ＵＥ−ネットワーク間の信号（ＮＡＳ信号）を終端し、ＮＡＳ信号のセキュリティー機能を提供し、ＰＤＮへのアクセス認証／承認機能を提供する。
【００２６】
Ｓ−ＧＷ１５は、ＬＴＥ無線内及びＬＴＥ−ＵＭＴＳ／ＧＰＲＳ無線間の経路切替えにおけるアンカーポイント機能を提供する機能エンティティである。移動機ＵＥがＩＤＬＥ状態の場合、移動機ＵＥ宛のパケットをバッファリングし、ＭＭＥ１４へ呼び出し依頼を実施する。ｅＮｏｄｅＢ−Ｓ-ＧＷ１５間のＰＤＮコネクション並びに、Ｓ-ＧＷ１５−Ｐ-ＧＷ１６間のＰＤＮコネクションの設定及び切断は、Ｓ-ＧＷ１５が行う。
【００２７】
Ｐ-ＧＷ１６は、インターネット等の外部網（ＰＤＮ１７）への接続機能を提供し、移動機ＵＥにＩＰアドレスを割り当てる機能エンティティである。また、Ｐ-ＧＷ１６は、受信パケットを分析して、ＥＰＣ内ベアラへのマッピングを実施する。
【００２８】
ＳＧＳＮ２２は、ＵＭＴＳ／ＧＰＲＳの機能エンティティであり、ＵＭＴＳ／ＧＰＲＳのＵＴＲＡＮ２０に接続される移動機ＵＥを、ＥＰＣの機能エンティティであるＳ−ＧＷ１５に接続してＥＰＣ経由でＰＤＮへ接続する。ＭＭＥ１４から渡される複数ＰＤＮコネクションの中から引き継ぐべきＰＤＮコネクションを選定する。ＵＭＴＳ／ＧＰＲＳでは同時設定可能なＰＤＮコネクション数は２である。
【００２９】
Ｅ−ＵＴＲＡＮ１１からｅＮｏｄｅＢ１３に接続しているＵＥに対しては、ｅＮｏｄｅＢ１３から直接Ｓ−ＧＷ１５にベアラが設定されるが、ＵＴＲＡＮ２０から無線基地局に接続しているＵＥに対して、当該無線基地局を管理するＲＮＣ２１からＳＧＳＮ２２にベアラが設定される。そして、ＳＧＳＮ２２からＳ−ＧＷ１５との間にベアラが設定され、Ｓ−ＧＷ１５とＰ-ＧＷ１６との間にベアラが設定される。すなわち、ＳＧＳＮ２２からＳ−ＧＷ１５−Ｐ-ＧＷ１６経由でＰＤＮ１７と接続する。
【００３０】
ここで、Ｓ-ＧＷ１５およびＳＧＳＮ２２におけるＰＤＮコネクションの切断処理に関する機能について説明する。切断信号（ＧＴＰｖ２）に、対象ユーザの加入者識別子と、ＳＧＳＮ２２が引継いだＰＤＮコネクション情報と設定できる拡張情報要素を追加する。ＳＧＳＮ２２は、拡張情報要素に対象ユーザの加入者識別子と、ＳＧＳＮ２２が引継いだＰＤＮコネクション情報とを設定した切断信号をＳ-ＧＷ１５へ送信する。また、ＳＧＳＮ２２は、加入者識別子に基づいて切断要求をした後、後述する検索機能に未対応であることを示す切断応答信号を受け取った場合、相手Ｓ-ＧＷの処理能力に合わせて、ＰＤＮコネクションの切断信号をＰＤＮコネクション数分だけ個別に送信する既存切断方式に切り替える機能を備える。Ｓ-ＧＷ１５は、切断信号で通知された加入者識別子から当該加入者識別子に対応した対象移動機ＵＥについて設定されているＰＤＮコネクションを検索する検索機能を備える。また、Ｓ-ＧＷ１５は、検索したＰＤＮコネクションのうち切断信号で通知された引継ぎＰＤＮコネクション以外を切断対象ＰＤＮコネクションとして切断処理を実行する機能を備える。Ｓ-ＧＷ１５は、切断成功した複数のＰＤＮコネクション情報を切断応答信号に設定してＳＧＳＮ２２へ送信する機能を備える。
【００３１】
図２はＳ-ＧＷ１５およびＳＧＳＮ２２の機能ブロック図であり、主に切断処理に関する機能ブロックの概略を示している。ＳＧＳＮ２２は、Ｓ-ＧＷ１５を起点にして設定している複数ＰＤＮコネクションのうち所定数のＰＤＮコネクションを引き継ぎ、残りのＰＤＮコネクションを切断対象にする引き継ぎ処理部２２ａ、対象ユーザの加入者識別子及びＳＧＳＮ２２が引継いだＰＤＮコネクション情報を設定可能な構造を有する切断信号を用いて切断対象のＰＤＮコネクション情報をＳ-ＧＷ１５へ送信する切断要求部２２ｂと、Ｓ-ＧＷ１５から切断成功ＰＤＮコネクション情報の設定された切断応答信号を受信する受信部２２ｃとを具備する。
【００３２】
また、Ｓ-ＧＷ１５は、ＳＧＳＮ２２から送信される加入者識別子及び引継ぎＰＤＮコネクション情報を設定可能な構造を有する切断信号を受信する受信部１５ａと、受信部１５ａで受信された切断信号に設定された加入者識別子に基づいてＰＤＮコネクションを検索し、検索されたＰＤＮコネクションから引継ぎＰＤＮコネクションを除いたＰＤＮコネクションを切断対象に選定する検索部１５ｂとを備える。また、Ｓ-ＧＷ１５は、切断対象ＰＤＮコネクションの切断処理を実行する切断処理部１５ｃと、切断成功ＰＤＮコネクション情報を設定可能な構造を有する切断応答信号を用いて切断成功したＰＤＮコネクション情報をＳＧＳＮ２２へ通知する切断応答部１５ｄとを具備している。
【００３３】
次に、複数ＰＤＮコネクションの一括切断動作について具体的に説明する。
図１に示すように、移動機ＵＥがＥ−ＵＴＲＡ１１を介してｅＮｏｄｅＢ１３に接続していて、移動機ＵＥに対してＳ−ＧＷ１５が７つのＰＤＮコネクション＃１〜＃７を設定しているものとする。そして、移動機ＵＥがＥ−ＵＴＲＡ１１からＵＴＲＡＮ２０へＩｎｔｅｒ  ＲＡＴ  ＨＯし、ＳＧＳＮ２２が１つだけＰＤＮコネクションを引き継ぐと判断した場合について説明する。
【００３４】
図３はＳ-ＧＷ１５とＳＧＳＮ２２との間におけるＰＤＮコネクションの切断処理のシーケンス図である。ＳＧＳＮ２２は、ＭＭＥ１４から移動機ＵＥについて設定している全てのＰＤＮコネクション＃１〜＃７に関するＰＤＮコネクション情報（各ＰＤＮコネクション＃１〜＃７のデフォルトベアラＩＤ）やTarget ＲＮＣ番号を含むハンドオーバーリクエストを受け取る。ＳＧＳＮ２２は、受信した全ＰＤＮコネクション情報から引継ぎ対象とするＰＤＮコネクション＃１を選出し、ＲＮＣ２１に無線区間のセットアップ要求を送出する。これにより、ＳＧＳＮ２２とＲＮＣ２１との間に引継ぎ対象とするＰＤＮコネクション＃１が設定される。
【００３５】
一方、ＳＧＳＮ２２は、対象ユーザの加入者識別子と全引継ぎ対象ＰＤＮコネクション情報とを含んだ切断要求をＳ−ＧＷ１５に対して送出する（ステップＳ１）。この切断要求は、ＧＴＰｖ２信号を拡張して対象加入者の加入者識別子と全引継ぎ対象ＰＤＮコネクション情報とを設定可能な構造にした切断信号を送信することによって実行される。Ｓ-ＧＷ１５及びＰ-ＧＷ１６は、加入者識別子毎にＰＤＮコネクション（デフォルトベアラ）の設定内容を管理しており、加入者識別子と全引継ぎ対象ＰＤＮコネクション情報とに基づいて、加入ユーザ（対象移動機）に関して引継ぎ対象とならないＰＤＮコネクションを特定できる。すなわち、加入者識別子と全引継ぎ対象ＰＤＮコネクション情報とから引継ぎ対象とならない切断対象ＰＤＮコネクションを検索する検索機能をＳ-ＧＷ１５に搭載すれば、１つの切断対象ＰＤＮコネクション情報を設定した切断信号の送信を繰り返す必要がなくなる。単一の切断信号で切断対象となる複数ＰＤＮコネクション情報をＳ-ＧＷ１５で検索できることから、信号量の低減を図ることができる。
【００３６】
図４にＧＴＰｖ２信号を拡張した切断信号の信号フォーマットを示す。同図に示す切断信号は、情報要素Ｆ１〜Ｆ１０を含んで構成されている。既存情報要素Ｆ２は、切断対象ＰＤＮコネクションのデフォルトベアラＩＤである“Ｌｉｎｋｅｄ  ＥＰＳ  Ｂｅａｒｅｒ  ＩＤ（ＬＢＩ）”が設定される。情報要素Ｆ８、Ｆ９は、拡張パラメタである。情報要素Ｆ８は“保持するＢｅａｒｅｒのリスト”であり、引継ぎ対象ＰＤＮコネクションのデフォルトベアラＩＤのリストが設定される。情報要素Ｆ９は“加入者識別子”であり、対象移動機ＵＥに関する加入ユーザの識別子が設定される。すなわち、対象移動機ＵＥに関して、加入者識別子と引継ぎ対象ＰＤＮコネクションとを単一の切断信号に設定可能にすることで、１つの切断信号を送るだけでＳ-ＧＷ１５において切断対象となる全てのＰＤＮコネクションを検索できる。
【００３７】
なお、情報要素Ｆ１“Ｃａｕｓｅ”はＩＳＲ（Ｉｄｌｅ  ｍｏｄｅ  Ｓｉｇｎａｒｉｎｇ  Ｒｅｄｕｃｔｉｏｎ）ディアクチベイションのために利用されるパラメタであり、情報要素Ｆ３“Ｕｓｅｒ  Ｌｏｃａｔｉｏｎ  Ｉｎｆｏｒｍａｔｉｏｎ（ＵＬＩ）”はＰ-ＧＷがデタッチやＰＤＮコネクションの切断時にＵＬＩを要求した場合に利用するパラメタである。情報要素Ｆ４“Ｉｎｄｉｃａｔｉｏｎ  Ｆｌａｇｓ”はＤｅｌｅｔｅ  ＳｅｓｓｉｏｎのＰ-ＧＷへの転送要否とＳ-ＧＷ変更有無を表示するフラグであり、情報要素Ｆ５“Ｐｒｏｔｏｃｏｌ  Ｃｏｎｆｉｇｕｒａｔｉｏｎ  Ｏｐｔｉｏｎｓ（ＰＣＯ）”はＰＣＯをＳ-ＧＷからＰ-ＧＷに転送するパラメタである。情報要素Ｆ６“Ｏｒｉｇｉｎａｔｉｎｇ  Ｎｏｄｅ”はデタッチ手順にてＩＳＲが有効時のＳ-ＧＷ１５でのＩＳＲディアクチベイトに用いられる。情報要素Ｆ７“ＵＳＥＲ  ＩＤ”は対象ユーザの識別子である。情報要素Ｆ１０“Ｐｒｉｖａｔｅ  Ｅｘｔｅｎｔｉｏｎ”はプライベートな拡張領域である。なお、各情報要素に対応して示す符号Ｃは条件必須パラメタ、ＣＯは条件付きオプションパラメタ、Ｏはオプションを示している。図５においても同様である。
【００３８】
ＳＧＳＮ２２は、図４に示す情報要素Ｆ２の“Ｌｉｎｋｅｄ  ＥＰＳ  Ｂｅａｒｅｒ  ＩＤ（ＬＢＩ）”に１番目の切断対象ＰＤＮコネクション（例えば＃２）のデフォルトベアラＩＤを設定し、情報要素Ｆ８“保持するＢｅａｒｅｒのリスト”に全ての引継ぎ対象ＰＤＮコネクションのデフォルトベアラＩＤリストを設定する。さらに、情報要素Ｆ９“加入者識別子”にＰＤＮコネクションを引き継ぐ対象ユーザの識別子を設定する。このように、“保持するＢｅａｒｅｒのリスト”（Ｆ８）及び“加入者識別子”（Ｆ９）が設定された切断信号を送信した後、ＳＧＳＮ２２では自ノード上の情報を削除する（ステップＳ２）。
【００３９】
Ｓ-ＧＷ１５は、ＳＧＳＮ２２から切断信号（図４）を受信すると、当該切断信号に設定された加入者識別子から対象ユーザ（対象移動機ＵＥ）に設定している全てのＰＤＮコネクションを検索し、引継ぎ対象ＰＤＮコネクション以外のＰＤＮコネクションについて切断する（ステップＳ３）。Ｓ-ＧＷ１５は検索した全ての切断対象ＰＤＮコネクションについて、切断成功したか否かを示す切断応答信号をＳＧＳＮ２２へ送信する（ステップＳ４）。このように、全ての切断対象ＰＤＮコネクションの切断に成功したか否かを示す情報だけを切断応答信号で送信する。
【００４０】
図５にＧＴＰｖ２信号を拡張した切断応答信号の信号フォーマットを示す。切断応答信号は、情報要素Ｆ１１〜Ｆ１５を含んで構成されている。情報要素Ｆ１５は、拡張パラメタであり、“全切断対象ＰＤＮコネクションの切断成功の有無”が設定される。なお、情報要素Ｆ１５に“切断成功したＰＤＮコネクションのデフォルトベアラＩＤのリスト”が設定されるようにしても良い。
【００４１】
但し、Ｓ-ＧＷ１５が切断信号内の“保持するＢｅａｒｅｒのリスト”（Ｆ８）及び“加入者識別子”（Ｆ９）を解釈して切断対象ＰＤＮコネクションを検索する検索機能を備えていない場合、当然に切断応答信号内の情報要素Ｆ１５に“全切断対象ＰＤＮコネクションの切断成功の有無”は明示されない。このような検索機能非対応のＳ-ＧＷ１５は、切断信号内の既存情報要素しか認識しないので、情報要素Ｆ２“Ｌｉｎｋｅｄ  ＥＰＳ  Ｂｅａｒｅｒ  ＩＤ（ＬＢＩ）”に設定されたＰＤＮコネクション情報にしたがって１つのＰＤＮコネクションだけを切断する。
【００４２】
このように、切断信号には既存情報要素である情報要素Ｆ２“Ｌｉｎｋｅｄ  ＥＰＳ  Ｂｅａｒｅｒ  ＩＤ（ＬＢＩ）”に切断対象ＰＤＮコネクションの１つを設定するので、検索機能非対応のＳ-ＧＷ１５が拡張パラメタである情報要素Ｆ８、Ｆ９を含んだ断信号を受信した場合であっても、エラーとならずに正常に動作して切断応答信号を返信することができ、ＳＧＳＮ２２とＳ-ＧＷ１５との間で切断信号に関してエラーと再送を繰り返す不具合を防止できる。
【００４３】
ＳＧＳＮ２２は、Ｓ-ＧＷ１５から切断応答信号（図５）を受信すると、切断応答信号の情報要素Ｆ１５に“全切断対象ＰＤＮコネクションの切断成功の有無”が明示されているか否かチェックすることで、Ｓ-ＧＷ１５が検索機能を備えているか否か判断する（ステップＳ５）。Ｓ-ＧＷ１５が切断信号（図４）の拡張パラメタである情報要素Ｆ８、Ｆ９を認識して、切断対象ＰＤＮコネクションを検索する検索機能を搭載していれば、切断応答信号（図５）の情報要素Ｆ１５に“全切断対象ＰＤＮコネクションの切断成功の有無”が明示される。一方、切断応答信号（図５）が既存情報要素のみで情報要素Ｆ１５に“全切断対象ＰＤＮコネクションの切断成功の有無”が明示されていなければ、Ｓ-ＧＷ１５は検索機能を備えていないと判断できる。Ｓ-ＧＷ１５が検索機能非搭載であることが判明すれば、加入者識別子と引継ぎ対象ＰＤＮコネクションリストとからＳ-ＧＷ１５に切断対象ＰＤＮコネクションを検索させる上記切断信号（図４）を用いて切断要求するモードから、従来方式のＰＤＮコネクション毎に切断信号を送信するモードに切り替える（図３中の（ｃ）の通常処理）。
【００４４】
また、ＳＧＳＮ２２は、ステップＳ４の処理でＳ-ＧＷ１５が検索機能を備えていると判断した場合、さらに切断応答信号の情報要素Ｆ１５“全切断対象ＰＤＮコネクションの切断成功の有無”から、切断対象であった全てのＰＤＮコネクションの切断に成功したか否か判断する（ステップＳ６）。
【００４５】
切断応答信号の情報要素Ｆ１５に、全ての切断対象ＰＤＮコネクションの切断には成功していないことを示す情報ビットが設定されていれば、（ｂ）の処理へ移行する。ＳＧＳＮ２２は、ステップＳ１で送信した切断信号と同じ切断信号をＳ-ＧＷ１５に対して再送する（ステップＳ７）。すなわち、ＳＧＳＮ２２では切断に失敗したＰＤＮコネクションについて意識せずに、同じ切断信号を再送するだけで良いので、処理が簡素化される。Ｓ-ＧＷ１５は、上記したステップＳ３と同様の切断処理を実行し、上記ステップＳ４と同様の切断応答信号をＳＧＳＮ２２へ送信する（ステップＳ８）。切断応答信号を受信したＳＧＳＮ２２は、ステップＳ５へ移行して上記同様の処理を実行する。
【００４６】
また、ＳＧＳＮ２２は、ステップＳ５の処理でＳ-ＧＷ１５が検索機能を備えていないと判断した場合、Ｓ-ＧＷ１５の処理能力に合わせてモードを切り換え、（ｃ）の処理へ移行する。ＳＧＳＮ２２は、図４に示す切断信号の信号フォーマットのうち拡張パラメタである情報要素Ｆ８、Ｆ９を用いないで、既存の情報要素Ｆ２“Ｌｉｎｋｅｄ  ＥＰＳ  Ｂｅａｒｅｒ  ＩＤ（ＬＢＩ）”だけを用いて切断対象ＰＤＮコネクション情報を通知する。したがって、切断対象となる残りのＰＤＮコネクション数分だけ切断信号の送信と切断応答信号の返信とが繰り返される。
【００４７】
以上のように、本実施の形態によれば、ＳＧＳＮ２２とＳ-ＧＷ１５との間で切断対象となる複数ＰＤＮコネクションに関する切断要求および切断応答を送受信する際の信号量の増大を抑制することができ、ＳＧＳＮ２２及びＳ-ＧＷ１５の処理負荷を軽減できる。また、検索機能を備えていないＳ-ＧＷ１５に対する後方互換性も確保することができる。
【００４８】
次に、Ｓ-ＧＷ１５とＰ-ＧＷ１６との間のＰＤＮコネクションの切断処理の内容について説明する。
１つの対象移動機ＵＥに関して複数のＰＤＮコネクションが設定されている場合、幾つかのＰ-ＧＷ１６との間に１つ又は複数の切断対象ＰＤＮコネクションが接続されている可能性がある。たとえば、第１のＰ-ＧＷ１６（１）には切断対象ＰＤＮコネクション＃２から＃４が接続され、第２のＰ-ＧＷ１６（２）には切断対象ＰＤＮコネクション＃５から＃７が接続されているケースが想定される。このように、１つのＳ-ＧＷ１５と複数のＰ-ＧＷ１６との間に切断対象ＰＤＮコネクションが設定されている可能性があるので、Ｓ-ＧＷ１５は各Ｐ-ＧＷ１６に対して引継ぎ対象ＰＤＮコネクション及び加入者識別子が設定された切断信号を送信する。
【００４９】
図６はＳ-ＧＷ１５がＳＧＳＮ２２から切断要求を受信してＰ-ＧＷ１６との間のＰＤＮコネクションを切断するフロー図である。前提として、ＳＧＳＮ２２が単一の切断信号に引継ぎ対象ＰＤＮコネクションリスト（Ｆ８）と加入者識別子（Ｆ９）を設定する。
【００５０】
Ｓ-ＧＷ１５は、ＳＧＳＮ２２から受信した切断信号の拡張パラメタＦ８に“保持Ｂｅａｒｅｒ  ＩＤリスト”が設定されていれば（ステップＳ２１）、当該切断信号から引継ぎ対象ＰＤＮコネクションリスト（Ｆ８）と加入者識別子（Ｆ９）とを取得する（ステップＳ２２）。そして、Ｓ-ＧＷ１５はＳＧＳＮ２２から受信した切断信号を各Ｐ-ＧＷ１６に対して転送する（ステップＳ２３）。Ｓ-ＧＷ１５から切断信号を受信したＰ-ＧＷ１６は、加入者識別子（Ｆ９）とから切断対象ＰＤＮコネクションを検索して切断する。切断対象ＰＤＮコネクションの検索手順は、以下に説明するＳ-ＧＷ１５での検索手順と同一である。
【００５１】
Ｓ-ＧＷ１５は、ステップＳ２２で取得した引継ぎ対象ＰＤＮコネクションリスト（Ｆ８）と加入者識別子（Ｆ９）とから切断対象ＰＤＮコネクションを検索して切断する（ステップＳ２４）。そのため、Ｓ-ＧＷ１５に設定されているＰＤＮコネクションの中から未検索のＰＤＮコネクションがあれば（ステップＳ２５）、通知された加入者識別子（Ｆ９）と当該ＰＤＮコネクションの加入者識別子とが一致するか否かチェックし（ステップＳ２６）、加入者識別子が一致していれば引継ぎ対象ＰＤＮコネクションであるか否か判断する（ステップＳ２７）。引継ぎ対象ＰＤＮコネクション以外であれば当該ＰＤＮコネクションの切断処理を実行する（ステップＳ２８）。以上の処理をＳ-ＧＷ１５に設定されている全てのＰＤＮコネクションについて実行する。
【００５２】
Ｓ-ＧＷ１５は、全ての切断対象ＰＤＮコネクションを検索して切断処理を実行したら、切断応答信号（図５）をＳＧＳＮ２２へ送信する（ステップＳ２９）。具体的には、全ての切断対象ＰＤＮコネクションンに対する切断処理の結果、全ての切断対象ＰＤＮコネクションンに対する切断成功していれば、切断応答信号の拡張パラメタである情報要素Ｆ１５に“全切断対象ＰＤＮコネクションの切断が成功したことを示す情報ビットを設定する。また、一部に切断に失敗したＰＤＮコネクションが存在すれば、“一部に切断成功していないＰＤＮコネクションが存在することを示す情報ビットを設定する。このような情報要素Ｆ１５の設定された切断応答信号がＳＧＳＮ２２へ送信される。
【００５３】
このように、Ｓ-ＧＷ１５がＳＧＳＮ２２から受信した切断信号（図４に示すように引継ぎ対象ＰＤＮコネクションリスト（Ｆ８）と加入者識別子（Ｆ９）が設定されている）を、各Ｐ-ＧＷ１６へ転送してＰ-ＧＷ１６が引継ぎ対象ＰＤＮコネクションリスト（Ｆ８）と加入者識別子（Ｆ９）から切断対象ＰＤＮコネクションを特定して切断できるようにしたので、Ｓ-ＧＷ１５とＰ-ＧＷ１６との間での切断要求と切断応答の送受信回数を削減でき、Ｓ-ＧＷ１５及びＰ-ＧＷ１６の処理負荷の軽減を図ることもできる。Ｓ-ＧＷ１５は、ＳＧＳＮ２２から受信した切断信号（図４）を各Ｐ-ＧＷ１６へ転送するだけで良いので、Ｓ-ＧＷ１５の処理負荷は大幅に軽減できる。
【００５４】
また、Ｓ-ＧＷ１５からＰ-ＧＷ１６へ送信される切断信号は、複数の切断対象ＰＤＮコネクションをＰ-ＧＷ１６で認識できる信号フォーマットであれば良く、拡張パラメタに引継ぎ対象ＰＤＮコネクションリスト（Ｆ８）と加入者識別子（Ｆ９）を設定する形式に限定されない。
Ｓ-ＧＷ１５がＳＧＳＮ２２から切断信号を受信し、引継ぎ対象ＰＤＮコネクションリスト（Ｆ８）と加入者識別子（Ｆ９）から切断対象ＰＤＮコネクションを検索する。切断対象ＰＤＮコネクションをＰ-ＧＷ毎に集約する。Ｓ-ＧＷ１５はＧＴＰｖ２信号で生成される切断信号の拡張パラメタに切断対象ＰＤＮコネクションの識別子リスト（デフォルトベアラＩＤリスト）を設定する。また、切断信号（ＧＴＰｖ２信号）の既存情報要素Ｆ２には切断対象ＰＤＮコネクションの１つを設定する。これにより、Ｐ-ＧＷ１６が切断信号の拡張パラメタを読めないリストサポート機能がない場合であっても、正常に切断応答することができる。このように、拡張パラメタに切断対象ＰＤＮコネクションの識別子リストを設定した切断信号を対象となるＰ-ＧＷ１６へ送信する。
【００５５】
Ｐ-ＧＷ１６は、拡張パラメタに切断対象ＰＤＮコネクションの識別子リストを設定した切断信号を受信する。リストサポート機能を備えたＰ-ＧＷ１６であれば、切断信号の既存情報要素Ｆ２及び拡張パラメタに設定された全てのＰＤＮコネクション（デフォルトベアラＩＤで特定）を切断する。Ｐ-ＧＷ１６は、切断成功したＰＤＮコネクション情報をリストにして一括設定した切断応答信号をＳ-ＧＷ１５へ送信する。
【００５６】
このように、Ｓ-ＧＷ１５と１つのＰ-ＧＷ１６との間で切断信号に複数の切断対象ＰＤＮコネクション情報を設定可能にすると共に、切断応答信号に切断成功したＰＤＮコネクション情報をリストにして一括で設定するので、Ｓ-ＧＷ１５と１つのＰ-ＧＷ１６との間で複数のＰＤＮコネクションを切断する場合に切断要求と切断応答を繰り返す回数を削減できるので、信号量を削減して処理負荷を軽減できる。
【００５７】
また、Ｓ-ＧＷ１５は、Ｐ-ＧＷ１６から受信した切断応答信号からＰ-ＧＷ１６がリストサポート機能を備えているか否か判定し、Ｐ-ＧＷ１６がリストサポート機能を備えていなければ、１つの切断信号には１つの切断対象ＰＤＮコネクション情報だけを設定し、このような切断信号を切断対象ＰＤＮコネクション数だけ繰り返し送信する。
【００５８】
または、Ｓ-ＧＷ１５からＰ-ＧＷ１６へ切断対象ＰＤＮコネクションの通知は、ＰＤＮコネクションの切断処理手順に規定されている切断信号を用いるのではなく、ＰＤＮコネクションの変更処理手順に規定されているＰＤＮコネクションの変更信号を用いても良い。ＰＤＮコネクションの変更処理はＰＤＮコネクションの切断処理の前に実行される。ＰＤＮコネクションの変更信号には、既存情報要素として継続するＰＤＮコネクション情報（１又は複数設定可）が存在する。本発明では、拡張パラメタとして対象移動機ＵＥを特定する加入者識別子と、一定時間後に切断プロセスを起動することを要求するタイマ起動要求とをＰＤＮコネクションの変更信号に追加する。
【００５９】
Ｓ-ＧＷ１５がＰ-ＧＷ毎に切断対象ＰＤＮコネクションを特定する。Ｓ-ＧＷ１５は、継続するＰＤＮコネクション情報（１又は複数設定可と）加入者識別子とから切断対象ＰＤＮコネクションを特定することができる。継続するＰＤＮコネクション情報（１又は複数）と、加入者識別子と、タイマ起動要求とを設定した変更信号をＰ-ＧＷへ送信する。
【００６０】
Ｐ-ＧＷは、受信した変更信号から継続するＰＤＮコネクション情報（１又は複数）と加入者識別子とを取り出して切断対象ＰＤＮコネクションを特定する。そして、タイマ起動要求にしたがってタイマを起動する。タイマを起動したことを明示した変更応答信号をＳ-ＧＷ１５へ送信する。また、タイマ起動から所定時間経過後に切断対象ＰＤＮコネクションを切断する。タイマは０秒とすることで即時切断することも可能である。
【００６１】
このように、ＰＤＮコネクションの変更処理の中で、変更信号に継続するＰＤＮコネクション情報（１又は複数）、加入者識別子、タイマ起動要求を設定した変更信号をＰ-ＧＷへ送信することで、切断信号と切断応答信号を切断対象ＰＤＮコネクション数だけ繰り返す無駄を削減することができる。
【００６２】
以上のように、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
１１  Ｅ-ＵＴＲＡＮ
１３  ｅＮｏｄeＢ
１４  ＭＭＥ
１５  Ｓ-ＧＷ
１５ａ  受信部
１５ｂ  検索部
１５ｃ  切断処理部
１５ｄ  切断応答部
１６  Ｐ-ＧＷ
１７  ＰＤＮ
２０  ＵＴＲＡＮ
２１  ＲＮＣ
２２  ＳＧＳＮ
２２ａ  引き継ぎ処理部
２２ｂ  切断要求部
２２ｃ  受信部
ＵＥ  移動機
【図１】
2012004912.tif 000003
【図２】
2012004912.tif 000004
【図３】
2012004912.tif 000005
【図４】
2012004912.tif 000006
【図５】
2012004912.tif 000007
【図６】
2012004912.tif 000008
【図７】
2012004912.tif 000009
【図８】
2012004912.tif 000010